(57)【要約】      （修正有）【課題】気化したガスを放出する際に液化ガスが混ざり難く、気化したガスの安定放出や、噴出初速を高められ、液化ガスの効率（燃費）が向上し、弾の発射に関する諸性能が向上し、構成簡素で、量産し易く、経済的な玩具ガス銃用ガスタンクを提供する。【解決手段】ガスタンクＡ内を隔壁４で第一ガス気蓄室５ａと第二ガス気蓄室５ｂに区画し、第一ガス気蓄室５ａの下部に、液化ガスが注入可能な注入バルブ３５を設け、第二ガス気蓄室５ｂの上部に、気化したガスが主バルブ２０の動作によって放出可能となるガス放出バルブを設け、隔壁４の上部に設けた第一ガス気蓄室５ａと第二ガス気蓄室５ｂとを連通する連通路内に、ボール弁１５を内装し、ボール弁１５は、第一ガス気蓄室５ａ内と第二ガス気蓄室５ｂ内とに所定の圧力差が生じたときに、気化状態或いは液化状態のガスが第一ガス気蓄室５ａ内から第二ガス気蓄室５ｂ内に移動できるよう構成する。【選択図】図１
2011117651.tif 000002
【特許請求の範囲】
【請求項１】
気化したガスを放出して弾を発射できるように構成された玩具ガス銃に内装されており、ガスボンベから注入された液化ガスを所定量貯蔵しておけると共に、気化したガスを気蓄しておけるよう構成されたガスタンクに於いて、ガスタンク内を水平方向に於いて二つに区画する隔壁を設けて、ガスタンク内のガス気蓄室を第一ガス気蓄室と第二ガス気蓄室とに区画し、第一ガス気蓄室の下部に、ガスボンベから液化ガスが注入可能となるよう形成された注入バルブを設け、第二ガス気蓄室の上部に、気化したガスが主バルブの動作によって放出可能となるガス放出バルブを設け、隔壁の上部に、第一ガス気蓄室と第二ガス気蓄室とを連通する連通路を設けると共に、この連通路内に逆止弁機構を内装し、この逆止弁機構は、第一ガス気蓄室内と第二ガス気蓄室内とに所定の圧力差が生じたときに、気化状態或いは液化状態のガスが第一ガス気蓄室内から第二ガス気蓄室内に移動できるように構成したことを特徴とする玩具ガス銃用ガスタンク。
【請求項２】
前記逆止弁機構は、連通路に内装されるボール弁とスプリングとからなり、ボール弁は、連通路に設けた弁座に圧接されることで連通路を閉鎖できるように形成され、スプリングは、その弾発力がボール弁を弁座に常時圧接せしめるように付勢され、第一ガス気蓄室内の圧力と第二ガス気蓄室内の圧力とに所定の圧力差が生じたときに、ボール弁がスプリングの弾発力に抗して弁座から離れる向きに移動することにより、連通路が開かれて、第一ガス気蓄室内の気化状態或いは液化状態のガスが第二ガス気蓄室内に移動できるよう構成したことを特徴とする請求項１記載の玩具ガス銃用ガスタンク。
【発明の詳細な説明】
【技術分野】
【０００１】
本発明は、引金の操作に連繋せしめて、気化したガスを瞬時に放出することにより、球形の弾（所謂ＢＢ弾）を発射できるように構成された玩具ガス銃に於いて、この玩具ガス銃に内装されており、ガスボンベから注入された液化ガスを所定量貯蔵しておけると共に、気化したガスを気蓄しておけるように構成された玩具ガス銃用ガスタンクに係り、特に、弾を発射すべく気化したガスを放出する際に、これに液化ガスが混ざることなく放出できて、気化したガスの安定供給を可能とすると共に、弾を発射する際の気化したガスの噴出初速を高められるようにし、しかも、注入された液化ガスの効率（燃費）を向上させ、弾の発射に関する諸性能を向上できるように工夫した玩具ガス銃用ガスタンクに関するものである。
【背景技術】
【０００２】
従来、この種の玩具ガス銃用ガスタンクにあっては、例えば、ライフル型の玩具ガス銃に設けられたガスタンクとして特許文献１に示すようなものがあり、これは、レシーバの下部筺体内に、カセット方式で給弾部とガス蓄圧室（ガスタンク）を着脱自在に内蔵させたもので、ガス蓄圧室（ガスタンク）は、水平方向に長く形成され、ガス蓄圧室がわから筒内へ通じる孔に相当する位置に切欠き部を形成し、孔を通じて切欠き部に達している回動カムのアーム部によってバルブが押し下げられると、バルブが開放状態となって気蓄室のガスが孔及び切欠き部を介して上方に噴出するように構成されたものである。
【先行技術文献】
【特許文献】
【０００３】
【特許文献１】特開２００３−７５０９６号公報
【発明の概要】
【発明が解決しようとする課題】
【０００４】
ところが、前述のようなガス蓄圧室（ガスタンク）は、玩具ガス銃の姿勢（傾き）によっては、貯蔵されている液化ガスが、気化したガスを通過させる孔に被ることがあり、このとき、気化したガスを放出すると、液化ガスが混じったものが放出される虞があった（例えば、本願の図６に示すような状態で引金を操作した場合、気化されたガスに液化ガスが混じって放出される。）。
すなわち、気化されたガスに液化ガスが混じったものが放出されてしまうと、混じった液化ガスが気化するときの気化熱により、銃身等の冷えを生じさせ、弾を噴出する速度を低下させてしまう問題点があった。また、気化されたガスに液化ガスが混じっていることにより、発射毎に一定でなければならない弾の発射速度が不安定となり、命中精度が悪くなる難点や、弾の発射性能自体を低下させてしまう難点があった。しかも、貯蔵してある液化ガスの消費も早くなり、一回の液化ガスの補充に対する弾の発射回数を著しく低下させてしまう問題点等もあった。
【課題を解決するための手段】
【０００５】
そこで、本発明は、前述の如き問題点等を解消すべく創出されたもので、請求項１記載の玩具ガス銃用ガスタンクＡにあっては、気化したガスを放出して弾５０を発射できるように構成された玩具ガス銃に内装されており、ガスボンベ７０から注入された液化ガスを所定量貯蔵しておけると共に、気化したガスを気蓄しておけるよう構成されたガスタンクＡに於いて、ガスタンクＡ内を水平方向に於いて二つに区画する隔壁４を設けて、ガスタンクＡ内のガス気蓄室を第一ガス気蓄室５ａと第二ガス気蓄室５ｂとに区画し、第一ガス気蓄室５ａの下部に、ガスボンベ７０から液化ガスが注入可能となるよう形成された注入バルブ３５を設け、第二ガス気蓄室５ｂの上部に、気化したガスが主バルブ２０の動作によって放出可能となるガス放出バルブを設け、隔壁４の上部に、第一ガス気蓄室５ａと第二ガス気蓄室５ｂとを連通する連通路１１を設けると共に、この連通路１１内に逆止弁機構を内装し、この逆止弁機構は、第一ガス気蓄室５ａ内と第二ガス気蓄室５ｂ内とに所定の圧力差が生じたときに、気化状態或いは液化状態のガスが第一ガス気蓄室５ａ内から第二ガス気蓄室５ｂ内に移動できるように構成する手段を採用した。
【０００６】
また、請求項２記載の玩具ガス銃用ガスタンクＡにあっては、前記逆止弁機構は、連通路１１に内装されるボール弁１５とスプリング１６とからなり、ボール弁１５は、連通路１１に設けた弁座１１ａに圧接されることで連通路１１を閉鎖できるように形成され、スプリング１６は、その弾発力がボール弁１５を弁座１１ａに常時圧接せしめるように付勢され、第一ガス気蓄室５ａ内の圧力と第二ガス気蓄室５ｂ内の圧力とに所定の圧力差が生じたときに、ボール弁１５がスプリング１６の弾発力に抗して弁座１１ａから離れる向きに移動することにより、連通路１１が開かれて、第一ガス気蓄室５ａ内の気化状態或いは液化状態のガスが第二ガス気蓄室５ｂ内に移動できるよう構成する手段を採用した。
【発明の効果】
【０００７】
従って、請求項１の玩具ガス銃用ガスタンクＡによれば、弾５０を発射すべく気化したガスを放出する際に、これに液化ガスが混ざり難いものとなり、弾５０を発射する際の気化したガスの噴出初速を高められるようになると共に、気化したガスの安定放出が可能となる。すなわち、弾５０の発射速度が安定的となり、命中精度が良くなり、弾５０の発射に関する諸性能を向上できるようになる。
更に、貯蔵されている液化ガスの無駄な消費を抑えられるようになり、注入された液化ガスの効率（燃費）を向上させることができるようになる。
しかも、構成が簡素で、小型、コンパクトに構成でき、組立て易く、量産に適し、玩具銃に組込み易いため、どのようなタイプの玩具ガス銃にも利用でき、経済的な玩具ガス銃用ガスタンクとなる。
【０００８】
加えて、ガスタンクＡ内を水平方向に於いて二つに区画する隔壁４を設けて、ガスタンクＡ内のガス気蓄室を第一ガス気蓄室５ａと第二ガス気蓄室５ｂとに区画し、第一ガス気蓄室５ａの下部に、ガスボンベ７０から液化ガスが注入可能となるよう形成された注入バルブ３５を設け、第二ガス気蓄室５ｂの上部に、気化したガスが主バルブ２０の動作によって放出可能となるガス放出バルブを設け、隔壁４の上部に、第一ガス気蓄室５ａと第二ガス気蓄室５ｂとを連通する連通路１１を設けると共に、この連通路１１内に逆止弁機構を内装したので、例えば、注入バルブ３５を上に向けるように玩具ガス銃を持って、ガスボンベ７０によって注入バルブ３５から液化ガスを注入した場合は、液化ガスは、先ず、第一ガス気蓄室５ａ内に注入され、すると、第一ガス気蓄室５ａ内の圧力が高くなり、逆止弁機構が作動して連通路１１が開き、この連通路１１を介して液化ガスの一部或いは気化されたガスが第二ガス気蓄室５ｂ内にスムーズに注入されるようになる（図３参照）。このとき、第二ガス気蓄室５ｂ内の液化ガスは僅かで、多くの液化ガスは第一ガス気蓄室５ａ内に留められるようになる（図４参照）。
すなわち、弾５０を発射する際には、玩具ガス銃をかなり大きく傾けない限りは、第二ガス気蓄室５ｂ内の液化ガスが、ガス放出バルブの開口部に被るようなことにならず、気化されたガスに混じって液化ガスがガス放出バルブから放出されるような事態をより少なくできるようになる。特に、ライフル型の玩具ガス銃に内装されるガスタンクＡのように水平方向に長い構成のものにより有効となる。
更に、弾５０の発射によって第二ガス気蓄室５ｂ内の気化ガスの圧力が低下すると、逆止弁機構が作動して連通路１１が開き、第一ガス気蓄室５ａ内に気蓄されている気化されたガスが第二ガス気蓄室５ｂ内に順次補充されるようになる。
【０００９】
また、請求項２の玩具ガス銃用ガスタンクＡによれば、第一ガス気蓄室５ａ内の圧力と第二ガス気蓄室５ｂ内の圧力とに所定の圧力差が生じたときには、ボール弁１５がスプリング１６の弾発力に抗して弁座１１ａから離れる向きにスムーズに移動できるようになり、連通路１１を開いて、第一ガス気蓄室５ａ内の気化状態或いは液化状態のガスを第二ガス気蓄室５ｂ内に速やかに移動できるようになる。
しかも、逆止弁機構自体の構成が簡素となり、確実な動作が期待でき、小型、コンパクトに形成することができて、ガスタンクＡに組込み易いものとなる。
【図面の簡単な説明】
【００１０】
【図１】本発明の玩具ガス銃用ガスタンクを例示する正断面図である。
【図２】本発明の玩具ガス銃用ガスタンクを例示する分解斜視図である。
【図３】本発明の玩具ガス銃用ガスタンクにガスボンベから液化ガスを注入する状態を例示する正断面図である。
【図４】本発明の玩具ガス銃用ガスタンクに液化ガスが注入された状態を例示する正断面図である。
【図５】本発明の玩具ガス銃用ガスタンクに液化ガスが注入された後に、玩具ガス銃を上下方向に傾けた時の液化ガスの状態を例示する正断面図である。
【図６】隔壁を設けてない玩具ガス銃用ガスタンクに液化ガスが注入された後に、玩具ガス銃を上下方向に傾けた時の液化ガスの状態を例示する正断面図である。
【発明を実施するための形態】
【００１１】
以下、本発明を説明すると、次の通りである。
本発明は、引金６０の操作に連繋せしめて、気化したガスを瞬時に放出することにより、樹脂製で球形の弾５０（所謂ＢＢ弾）を発射できるように構成された玩具ガス銃に於いて、この玩具ガス銃に内装されており、ガスボンベ７０から注入された液化ガスを所定量貯蔵しておけると共に、気化したガスを気蓄しておけるように構成された玩具ガス銃用ガスタンクＡに係るものである。
具体的には、ガスタンクＡ内を水平方向に於いて二つに区画する隔壁４を設けて、ガスタンクＡ内のガス気蓄室を第一ガス気蓄室５ａと第二ガス気蓄室５ｂとに区画する。
そして、第一ガス気蓄室５ａの下部に、ガスボンベ７０から液化ガスが注入可能となるよう形成された注入バルブ３５を設け、第二ガス気蓄室５ｂの上部に、気化したガスが主バルブ２０の動作によって放出可能となるガス放出バルブを設け、隔壁４の上部に、第一ガス気蓄室５ａと第二ガス気蓄室５ｂとを連通する連通路１１を設けると共に、この連通路１１内に逆止弁機構を内装する。
更に、この逆止弁機構は、第一ガス気蓄室５ａ内と第二ガス気蓄室５ｂ内とに所定の圧力差が生じたときに、気化状態或いは液化状態のガスが第一ガス気蓄室５ａ内から第二ガス気蓄室５ｂ内に移動できるように構成することにより、前記課題を達成する。
【実施例】
【００１２】
図示例の玩具ガス銃用ガスタンクＡは、ガスタンク本体１と、キャップ２と、主バルブハウジング３と、隔壁４と、逆止弁機構と、ガス放出バルブとを備えたものである。
【００１３】
前記ガスタンク本体１は、例えば、金属材によって構成されており、水平方向に長く形成され、薬室の下方に位置するように配設されている。
【００１４】
前記キャップ２は、例えば、金属材によって構成されており、ガスタンク本体１の前端部分に固定ピン７を介して固定されており、キャップ２とガスタンク本体１とで気蓄室を構成している。
【００１５】
前記主バルブハウジング３は、例えば、金属材によって構成されており、ガスタンク本体１の後端上部に固定ピン８、９を介して固定されている。しかも、ガスタンク本体１の後端部及び主バルブハウジング３内には、ガス放出バルブが内装され、主バルブハウジング３内にはガス流路６が形成されている。
【００１６】
前記隔壁４は、金属材によって構成されており、ガスタンク本体１内の中央部分にＯリング１２を介して気密状態に装着できるよう形成されていると共に、ガスタンク本体１内を前方がわの第一ガス気蓄室５ａと、後方がわの第二ガス気蓄室５ｂとに区画できるよう形成されている。尚、隔壁４は、ガスタンク本体１に一体的に形成されたものであっても良い。
【００１７】
また、前記隔壁４の上部には、第一ガス気蓄室５ａがわに突出するような筒状部１０が一体的に設けられ、この筒状部１０の先端部分には、Ｏリング１８を介して弁座体１７が気密状態に装着できるよう形成されている。しかも、この筒状部１０及び弁座体１７には、これらを貫通するような連通路１１が設けられており、この連通路１１内には、逆止弁機構が内装されている。
【００１８】
前記逆止弁機構は、連通路１１に内装される球状のボール弁１５とコイルスプリング状のスプリング１６とからなり、ボール弁１５は、弁座体１７の連通路１１に設けた弁座１１ａに圧接されることで連通路１１を閉鎖できるように形成されている。また、スプリング１６は、その基端部分が筒状部１０の連通路１１に設けたスプリング受座１１ｂに当接し、その先端部分がボール弁１５に当接して、その弾発力がボール弁１５を弁座１１ａに常時圧接せしめられるように付勢されている。すなわち、第一ガス気蓄室５ａ内の圧力と第二ガス気蓄室５ｂ内の圧力とに所定の（例えば、スプリング１６の弾発力と、連通路１１の弁座１１ａに於ける内径とによって設定される）圧力差が生じたときに、ボール弁１５がスプリング１６の弾発力に抗して弁座１１ａから離れる向きに移動することにより、連通路１１が開かれて、第一ガス気蓄室５ａ内の気化状態或いは液化状態のガスが第二ガス気蓄室５ｂ内に移動できるよう構成されている。
尚、連通路１１は、スプリング１６が収容される部分の内径が太くなるように構成されており、この部分の一端に弁座１１ａが形成されると共に、他端にスプリング受座１１ｂが形成されている。
ところで、弁座体１７に於ける連通路１１の先端開口部分は、隔壁４から離れて第一ガス気蓄室５ａ内の中央上部に配されており、通常の使用時に於いて玩具ガス銃をかなり傾けて使用（弾５０を発射）しても、第一ガス気蓄室５ａ内の液化ガスが、弁座体１７に於ける連通路１１の先端開口部分に被ることがないように形成されている。すなわち、第一ガス気蓄室５ａ内の液化ガスが、連通路１１及び逆止弁機構を介して第二ガス気蓄室５ｂ内に移動することを低減できるようになっている。
【００１９】
前記ガス放出バルブは、例えば、主バルブ２０と、主バルブスリーブ２１と、スプリング２２と、複数のＯリング２３、２４、２５、２６とを備えたものである。
【００２０】
前記主バルブ２０は、例えば、金属材（或いは樹脂材や複合材でも良い）によって形成されており、全体が軸棒状を呈し、その長手方向下部に傘状に膨出する弁部が周設されている。しかも、主バルブ２０は、上下方向に摺動自在となるように配されており、その上端部分は、主バルブハウジング３に設けた貫通孔を介して主バルブハウジング３外表面に露出するように形成されている。
【００２１】
前記主バルブスリーブ２１は、例えば、金属材（或いは樹脂材や複合材でも良い）によって形成されており、その下端面には、主バルブ２０の弁部によって開閉可能となるようなガスの流入口が設けられ、その前側面には、エルボ上のガス流路６を介して流入口に連通するようなガスの流出口が設けられている。
【００２２】
前記スプリング２２は、例えば、コイルスプリング状を呈し、主バルブ２０の下端部に装着されて、主バルブ２０が常時上方に移動するような弾発力を付勢できるよう設けられたものである。すなわち、主バルブ２０の弁部によって主バルブスリーブ２１のガスの流入口を閉鎖できるように形成されている。
【００２３】
前記Ｏリング２３、２４、２５、２６は、例えば、ゴム材（或いは樹脂材や複合材でも良い）によって形成されており、主バルブ２０とガスの流入口と間の気密状態の維持や、主バルブ２０と主バルブハウジング３の貫通孔との間の気密状態の維持や、主バルブスリーブ２１と主バルブハウジング３との間の隙間の気密状態の維持や、ガスタンク本体１と主バルブハウジング３との接続部分の間の気密状態の維持等を図るために設けられたものである。
【００２４】
図中２７は、例えば、金属材（或いは樹脂材や複合材でも良い）によって棒状に形成される固定ピンで、この固定ピン２７は、主バルブハウジング３に水平に貫通されると共に、主バルブスリーブ２１の後側面に設けた凹部に係止されて、主バルブスリーブ２１を主バルブハウジング３に安定的に固定できるようにしたものである。
【００２５】
図中３０は、例えば、ゴム材（或いは樹脂材や複合材でも良い）によって形成されるパッキンで、このパッキン３０は、主バルブハウジング３の前がわ上部にハウジングカバー３１を介して固定されると共に、その中央空間部がガス流路６に連通されるように形成されている。すなわち、このパッキン３０は、レシーバー内を前後に摺動するボルト本体４０に密着すると共に、ボルト本体４０の先端部分に設けたエルボ状のガス流路４２と、主バルブハウジング３内のガス流路６との気密状態を維持できるように設けられたものである。
尚、前記ハウジングカバー３１は、パッキン３０を保護すると共に、パッキン３０を所定位置に保持できるように設けられており、固定ネジ３２を介して主バルブハウジング３に固定されている。
【００２６】
図中３３は、例えば、ゴム材（或いは樹脂材や複合材でも良い）によって形成されるＯリングで、このＯリング３３は、ガスタンク本体１とキャップ２との間の気密状態を維持できるように設けられたものである。
【００２７】
図中３５は、例えば、ガスタンク本体１の前端下部に設けられた注入バルブで、この注入バルブ３５からガスボンベ７０内の液化ガスをガスタンクＡ内に注入できるようにしたものである。
【００２８】
図中４１は、ボルト本体４０の前部に内装されると共に、引金６０に連繋して揺動し、主バルブ２０の上端部分を下方に瞬時押し込めるよう形成されているバルブ用カムである。すなわち、このバルブ用カム４１の揺動によって、ガス放出バルブが開くように形成されている。
【００２９】
前記ガス流路４２は、ボルト本体４０の前端部分に形成されると共に、ボルト本体４０が最前方位置に停止しているときに、ガス流路６と、カートリッジ４５の後端開口とを連通できるように形成されている。
【００３０】
前記カートリッジ４５は、例えば、樹脂材（或いは金属材や複合材でも良い）によって構成されており、その前端開口部分には、樹脂材等によって所定寸法の球形状に形成された弾５０（所謂ＢＢ弾）を装填できるよう形成されている。
【００３１】
本発明は、以上に述べた実施形態に限られるものではなく、発明の要旨を逸脱しない範囲内で各種の変更が可能なものである。
【産業上の利用可能性】
【００３２】
しかして、本発明の玩具ガス銃用ガスタンクによれば、気化したガスを放出する際に液化ガスが混ざり難くなり、気化したガスの安定放出が可能で、気化したガスの噴出初速を高められ、液化ガスの効率（燃費）を向上でき、弾の発射に関する諸性能を向上できるようになる。
【符号の説明】
【００３３】
Ａ      ガスタンク
１      ガスタンク本体
２      キャップ
３      主バルブハウジング
４      隔壁
５ａ    第一ガス気蓄室
５ｂ    第二ガス気蓄室
６      ガス流路
７      固定ピン
８      固定ピン
９      固定ピン
１０    筒状部
１１    連通路
１１ａ  弁座
１１ｂ  スプリング受座
１２    Ｏリング
１５    ボール弁
１６    スプリング
１７    弁座体
１８    Ｏリング
２０    主バルブ
２１    主バルブスリーブ
２２    スプリング
２３    Ｏリング
２４    Ｏリング
２５    Ｏリング
２６    Ｏリング
２７    固定ピン
３０    パッキン
３１    ハウジングカバー
３２    固定ネジ
３３    Ｏリング
３５    注入バルブ
４０    ボルト本体
４１    バルブ用カム
４２    ガス流路
４５    カートリッジ
５０    弾
６０    引金
７０    ガスボンベ
【図１】
2011117651.tif 000003
【図２】
2011117651.tif 000004
【図３】
2011117651.tif 000005
【図４】
2011117651.tif 000006
【図５】
2011117651.tif 000007
【図６】
2011117651.tif 000008